(57)【要約】【課題】  記述部を脱着することができる記述部脱着型掲示装置の提供【解決手段】  ボール脱着型掲示装置１００は、脱着ボール１１０及び台座１３０を有している。脱着ボール１１０は、表面に文字等を記載・消去でき、いわゆるホワイトボードとして機能する。また、脱着ボール１１０は、台座１３０に取り付けたり、台座１３０から取り外したりすることができる。これにより、使用者は、文字等が記述された脱着ボール１１０を、台座１３０から取り外して、携帯することができる。また、投げる、手渡す等の手段により、取り外した脱着ボール１１０を他者に渡すことができる。つまり、使用者は、脱着ボール１１０を介して、脱着ボール１１０に記述した情報を自由に移動させることができる。【選択図】  図１
0003179887.tif 000002
【実用新案登録請求の範囲】
【請求項１】
所定の記述用具を用いて記述できる記述面であって、外表面に形成される記述面、
少なくとも一端が外表面で開口している固定孔、
を有する記述部、
前記記述部の固定孔に挿入される固定突起部、
自らを所定の位置に固定する固定部、
を有する台座、
を有する記述部脱着型掲示装置。
【請求項２】
請求項１に係る記述部脱着型掲示装置において、
前記記述部は、
球形状を有すること、
を特徴とする記述部脱着型掲示装置。
【請求項３】
請求項１又は請求項２に係る記述部脱着型掲示装置において、
前記突起部は、
前記記述部の前記固定孔に挿入された際に、前記固定孔の内面と自らの表面との間に摩擦力を発生すること、
を特徴とする記述部脱着型掲示装置。
【請求項４】
請求項１〜請求項３に係る記述部脱着型掲示装置のいずれかにおいて、
前記記述部は、
弾力を有すること、
を特徴とする記述部脱着型掲示装置。
【請求項５】
請求項１〜請求項４に係る記述部脱着型掲示装置のいずれかにおいて、
前記突起部は、
複数の前記記述部を挿入できる長さを有していること、
を特徴とする記述部脱着型掲示装置。
【請求項６】
請求項１〜請求項５に係る記述部脱着型掲示装置のいずれかにおいて、さらに、
前記固定孔に挿入し、前記記述部と一体にできる胴部を有する筆記部、
を有する記述部脱着型掲示装置。
【考案の詳細な説明】
【技術分野】
【０００１】
本考案は、記述部を脱着できる記述部脱着型掲示装置に関する。
【背景技術】
【０００２】
従来の掲示装置であるホワイトボード及びボード保持具について図９を用いて説明する。ボード保持具２０１は、オフィス等でスクリーンボードやホワイトボード等のボードＢを保持する際に利用するものであって、家具たる机２３の水平面たる天板面２３１に載せ置くことが可能な保持具本体２１１と、前記ボードＢを所定角度に起立させた状態で保持するように前記保持具本体２１１の上面に設けた保持部たる凹溝２１２とを具備している。
【０００３】
ボード保持具２０１の使用方法について説明する。まず、ボード保持具２０１を、図９に示すように、机２３の天板面２３１に載せ置く。そして、ボードＢの下端部２２１を前記凹溝２１２の起立面２１２１（図示せず）に沿わせて斜め上方から挿入する。前記下端部２２１が、凹溝２１２の底面部２１２２（図示せず）に衝き当たる位置まで挿入されると、ボードＢは、起立面２１２１と底面部２１２２によって前記天板面２３１に対して所定角度で起立しながら、さらに支持面２１５（図示せず）により、その厚み方向に沿って保持される（特許文献１）。
【先行技術文献】
【特許文献】
【０００４】
【特許文献１】特開２００３−７０５８１号公報
【考案の概要】
【考案が解決しようとする課題】
【０００５】
前述の従来のボードＢ及びボード保持具２０１には、以下に示すような改善すべき点がある。ボードＢは、ボード保持具２０１の凹溝２１２に挿入されるだけであるため、安定して固定されるわけではない。このため、ボードＢをボード保持具２０１に配置した状態で、ボードＢの表面に記述することは難しい。
【０００６】
また、ボードＢは平板であるため、記述できる面積を大きくしようとすると、ボードＢ自体を大きくせざるを得ない。よって、ボードＢは、持ち運びには不便となる。
【０００７】
さらに、ボードＢを持ち運ぶとしても、別途、筆記用具を携行する必要がある。
【０００８】
そこで、本考案は、記述部を脱着することができる記述部脱着型掲示装置の提供を目的とする。
【考案の効果】
【０００９】
本考案における課題を解決するための手段及び考案の効果を以下に示す。
【００１０】
本考案に係る記述部脱着型掲示装置は、所定の記述用具を用いて記述できる記述面であって、外表面に形成される記述面、少なくとも一端が外表面で開口している固定孔、を有する記述部、前記記述部の固定孔に挿入される固定突起部、自らを所定の位置に固定する固定部、を有する台座、を有する。
【００１１】
これにより、簡易な構成で、容易に記述部を台座に固定することができる。
【００１２】
本考案に係る記述部脱着型掲示装置では、前記記述部は、球形状を有すること、を特徴とする。
【００１３】
これにより、記述できる外表面の面積を大きくすることができる。よって、より多くの情報を記述することができる。
【００１４】
本考案に係る記述部脱着型掲示装置では、前記突起部は、前記記述部の前記固定孔に挿入された際に、前記固定孔の内面と自らの表面との間に摩擦力を発生すること、を特徴とする。
【００１５】
これにより、記述部を安定して固定することができる。
【００１６】
本考案に係る記述部脱着型掲示装置では、前記記述部は、弾力を有すること、を特徴とする。
【００１７】
これにより、記述部を安定して固定することができる。
【００１８】
本考案に係る記述部脱着型掲示装置では、前記突起部は、複数の前記記述部を挿入できる長さを有していること、を特徴とする。
【００１９】
これにより、記述できる外表面の面積を容易に調整することができる。よって、必要に乗じて、記述できる情報の量を調整することができる。
【００２０】
本考案に係る記述部脱着型掲示装置では、前記固定孔に挿入し、前記記述部と一体にできる胴部を有する筆記部、を有する。
【００２１】
これにより、記述部を固定部から取り外した状態であっても、容易に筆記具を携行することができる。
【図面の簡単な説明】
【００２２】
【図１】本考案に係る掲示装置の一実施例であるボール脱着型掲示装置１００の全体構成を示す斜視図である。
【図２】脱着ボール１１０を示す斜視図である。
【図３】台座１３０を示す平面図である。
【図４】本考案に係る掲示装置に関するその他の実施例を示す図である。
【図５】本考案に係る掲示装置に関するその他の実施例を示す図である。
【図６】本考案に係る掲示装置に関するその他の実施例を示す図である。
【図７】本考案に係る掲示装置に関するその他の実施例を示す図である。
【図８】本考案に係る掲示装置に関するその他の実施例を示す図である。
【図９】従来の掲示装置を示す図である。
【考案を実施するための形態】
【００２３】
以下、本考案の実施例について、図面を参照しながら詳細に説明していく。
【実施例１】
【００２４】
１．全体構成
本考案に係る記述部脱着型掲示装置の一実施例であるボール部脱着型掲示装置１００の全体構成について図１を用いて説明する。
【００２５】
ボール脱着型掲示装置１００は、脱着ボール１１０及び台座１３０を有している。脱着ボール１１０は、表面に文字等を記載・消去でき、いわゆるホワイトボードとして機能する。また、脱着ボール１１０は、台座１３０に取り付けたり、台座１３０から取り外したりすることができる。
【００２６】
２．脱着ボール１１０の構成
脱着ボール１１０の構成について図２を用いて説明する。脱着ボール１１０は、球体形状を有している。また、脱着ボール１１０は、適度な弾力を有している。さらに、脱着ボール１１０は、野球のボール程度の大きさを有している。
【００２７】
脱着ボール１１０は、記述面１１１及び固定孔１１３を有している。記述面１１１は、脱着ボール１１０の全表面に形成されている。そのため、脱着ボール１１０と同等の投影面積を有する平板状のホワイトボードに比して、脱着ボール１１０の記述面１１１が大きい。つまり、脱着ボール１１０には、より多くの文字等の情報を記述できる。脱着ボール１１０は、所定ペン、例えばホワイトボード用のペンによって記述でき、また、表面上の記述を所定のイレーサー、例えばホワイトボード用のイレーサーによって消去できるように加工されている。
【００２８】
固定孔１１３は、断面円形で、脱着ボール１１０の中央を貫通するように形成されている。つまり、固定孔１１３の両端は、脱着ボール１１０の外表面で開口している。固定孔１１３は、脱着ボール１１０を台座１３０に固定するための孔である。なお、ボール脱着型掲示装置１００の使用者は、固定孔１１３を台座１３０のボール固定突起１３１（後述）に合わせて、脱着ボール１１０を矢印Ａ１３方向に向かって移動させることによって、脱着ボール１１０を台座１３０に安定して取り付けることができる。また、使用者は、台座１３０のボール固定突起１３１から脱着ボール１１０を矢印Ａ１１方向へ移動させることによって、脱着ボール１１０を台座１３０から取り外すことができる。
【００２９】
このように、使用者は、文字等が記述された脱着ボール１１０を、台座１３０から取り外して、携帯することができる。また、投げる、手渡す等の手段により、取り外した脱着ボール１１０を他者に渡すことができる。つまり、使用者は、脱着ボール１１０を介して、脱着ボール１１０に記述した情報を自由に移動させることができる。
【００３０】
したがって、例えば、電話で聞き取った予定を、脱着ボール１１０が台座１３０に固定された状態で、脱着ボール１１０に記述し、外出時に、予定を記述した脱着ボール１１０を台座１３０から取り外して、携行することができる。また、予定を記述した脱着ボール１１０を台座１３０から取り外して、他者に渡すことができる。
【００３１】
３．台座１３０の構成
台座１３０の構成について図３を用いて説明する。台座１３０は、ボール固定突起１３１、固定クランプ１３３及びジョイント部１３５を有している。ボール固定突起１３１は、断面円形の棒形状を有している。ボール固定突起１３１は、脱着ボール１１０の固定孔１１３に挿入される。なお、ボール固定突起１３１の断面は、脱着ボール１１０の固定孔１１３の断面よりも若干大きい。このため、ボール固定突起１３１に脱着ボール１１０の固定孔１１３を挿入すると、ボール固定突起１３１の表面と固定孔１１３の表面との間に摩擦力が発生する。これにより、脱着ボール１１０を台座１３０に安定して固定することができる。また、脱着ボール１１０は弾力を有しているため、ボール固定突起１３１に脱着ボール１１０を挿入した際、脱着ボール１１０の弾力によっても、脱着ボール１１０がボール固定突起１３１に安定して固定される。  固定クランプ１３３は、所望の場所でその場所にあるものを狭持し、台座１３０を所定の位置に固定する。例えば、固定クランプ１３３を用いて、台座１３０を所定のテーブルに固定することができる。
【００３２】
ジョイント部１３５は、ボール固定突起１３１と固定クランプ１３３との間に位置する。ジョイント部１３５は、いわゆるボールジョイント機能を有している。これにより、図１に示すように、固定突起１３１を矢印Ａ３１矢印Ａ３３方向に回転させることができる。よって、脱着ボール１１０の位置を調整することができる。
【００３３】
４．効果
ボール脱着型掲示装置１００では、脱着ボール１１０を台座１３０から取り外すことによって、脱着ボール１１０の表面の記述面１１１に記述した情報を自ら携行する。よって、脱着ボール１１０を簡単に移動させること、ひいては脱着ボール１１０に記述されている情報を簡単に移動させることができる。
【００３４】
また、脱着ボール１１０を第三者に渡すことによって、脱着ボール１１０に記載した情報を簡単に伝達することができる。さらに、脱着ボール１１０の記述面１１１に情報を記載し、台座１３０に取り付けた状態とすることによって、第三者に記述面１１１に記述した情報を伝達することができる。例えば、記述面１１１に「外出中」と記載し、脱着ボール１１０を台座１３０に取り付けておけば、第三者に使用者の状態を伝達することができる。
【００３５】
［その他の実施例］
［１］脱着ボール１１０の形状  ：  前述の実施例１においては、脱着ボール１１０は、球形状を有するとしたが、記述面及び固定孔１１３を形成できるものであれば、例示のものに限定されない。例えば、図４に示す記述部脱着型掲示装置４００ように、角柱形状の脱着キューブ４１０を配置するようにしてもよい。
【００３６】
［２］脱着ボール１１０の記述面１１１  ：  前述の実施例１においては、脱着ボール１１０の表面全体に記述面１１１を形成するとしたが、例示のものに限定されない。例えば、図５に示すボール脱着型掲示装置５００ように、表面の一部に形成される記述面５１１を有する脱着ボール５１０を配置するようにしてもよい。
【００３７】
［３］脱着ボール１１０の色彩：前述の実施例１においては、脱着ボール１１０の色彩については特に限定していないが、特別な色彩を付与するようにしてもよい。例えば、赤、青、黄等の色彩を付与するようにしてもよい。これにより、脱着ボール１１０の色彩によっても、情報を伝達できる。例えば、台座１３０に赤色の脱着ボール１１０を取り付けている場合は、緊急の仕事が入っている等、予め脱着ボール１１０の色彩が示す情報を定義しておけばよい。
【００３８】
［４］台座１３０  ：  前述の実施例１においては、台座１３０のボール固定突起１３１は、脱着ボール１１０を１つ取り付けることができる長さを有しているとしたが、脱着ボール１１０を取り付けることができる長さであれば例示のものに限定されない。例えば、図６に示すボール脱着型掲示装置６００ように、複数個の脱着ボール１１０を取り付けることができる長さ有するボール固定突起６３１を配置するようにしてもよい。
【００３９】
また、ボール固定突起１３１は、先端が脱着ボール１１０を貫通するとしたが、脱着ボール１１０を固定できるものであれば例示のものに限定されない。例えば、図７に示すボール脱着型掲示装置７００ように、固定孔７１３の一端が脱着ボール１１０の外表面で開口し、他端が脱着ボール１１０の内部で閉じるようにしてもよい。このとき、脱着ボール１１０に対応する台座７３０のボール固定突起１３１の長さも、固定孔７１３の長さに合わせるようにしてもよい。
【００４０】
［５］固定クランプ１３３  ：  前述の実施例１においては、固定クランプ１３３によってボール脱着型掲示装置１００を固定するとしたが、ボール脱着型掲示装置１００を固定できるものであれば、例示のものに限定されない。例えば、所定の重量を有する台座を設けるようにしてもよい。また、粘着テープを用いてボール脱着型掲示装置１００を固定するようにしてもよい。
【００４１】
［６］：記述用具：前述の実施例１においては、所定の記述用具を用いて脱着ボール１１０に記述するとしたが、図８に示すように、記述用具８５０に脱着ボール１１０を取り付けるようにしてもよい。この場合、筆記用具８５０の胴部８５３の径は、脱着ボール１１０の固定孔１１３の径より、大きくなるようにすればよい。これにより、脱着ボール１１０と筆記用具８５０とを一体することができる。よって、台座１３０から取り外した脱着ボール１１０を携行する場合であっても、記述用具８５０が無くて、記述できないという状態を防止できる。
【００４２】
また、記述用具８５０に記述面１１１に記述した文字等を消去するイレーサーを、例えばいずれかの端部に、配置するようにしてもよい。
【産業上の利用可能性】
【００４３】
本考案に係る記述部脱着型掲示装置は、例えばホワイトボードとして用いることができる。
【符号の説明】
【００４４】
１００・・・・・ボール脱着型掲示装置
１１０・・・・・脱着ボール
１１１・・・・記述面
１１３・・・・固定孔
１３０・・・・・台座
１３１・・・・固定突起
１３３・・・・固定クランプ
【図１】
0003179887.tif 000003
【図２】
0003179887.tif 000004
【図３】
0003179887.tif 000005
【図４】
0003179887.tif 000006
【図５】
0003179887.tif 000007
【図６】
0003179887.tif 000008
【図７】
0003179887.tif 000009
【図８】
0003179887.tif 000010
【図９】
0003179887.tif 000011